(57)【要約】【課題】使用者が、電子メールの送信機能以外の機能を知らなかったとしても、電子メールの入力支援を受けることができるメーラ装置を提供する。【解決手段】抽出部１０２は、過去に送信した複数の電子メールの中から、所定数以上の電子メールにおいて一致する宛先、表題、本文の組を抽出する。記録部１０４は、抽出部１０２が抽出した宛先、表題、本文の組をテンプレート記憶部１０５に記録する。宛先入力部１０７は、新たな電子メールの宛先の入力を受け付ける。宛先判定部１０８は、宛先入力部１０７が入力を受け付けた宛先がテンプレート記憶部１０５に記憶されているか否かを判定する。表題・本文格納部１１０は、宛先判定部１０８によって宛先がテンプレート記憶部１０５に記憶されていると判定された場合に、宛先に関連付けられた表題及び本文をテンプレート記憶部から読み出し、当該表題及び本文を新たな電子メールの表題及び本文として格納する。【選択図】図１
2012103944.tif 000002
【特許請求の範囲】
【請求項１】
過去に送信した複数の電子メールの中から、所定数以上の電子メールにおいて一致する少なくとも２つの要素の組を抽出する抽出部と、
前記抽出部が抽出した要素の組を記憶部に記録する記録部と、
新たな電子メールの要素である第１の要素の入力を受け付ける要素入力部と、
前記要素入力部が入力を受け付けた第１の要素が前記記憶部に記憶されているか否かを判定する要素判定部と、
前記要素判定部によって前記第１の要素が前記記憶部に記憶されていると判定された場合に、前記第１の要素に関連付けられた要素である第２の要素を前記記憶部から読み出し、当該第２の要素を前記新たな電子メールの第２の要素として格納する要素格納部と
を備えることを特徴とするメーラ装置。
【請求項２】
前記本文格納部は、前記宛先判定部によって宛先が前記記憶部に記憶されていると判定された場合に自動引用を実行するか否かの入力を受け付け、自動引用を実行する旨の入力を受け付けたとき、前記本文を前記新たな電子メールの本文に格納する
ことを特徴とする請求項１に記載のメーラ装置。
【請求項３】
電子メールの送受信を行うメーラ装置を用いた電子メール作成方法であって、
抽出部は、過去に送信した複数の電子メールの中から、所定数以上の電子メールにおいて一致する少なくとも２つの要素の組を抽出し、
記録部は、前記抽出部が抽出した要素の組を記憶部に記録し、
要素入力部は、新たな電子メールの要素である第１の要素の入力を受け付け、
要素判定部は、前記要素入力部が入力を受け付けた第１の要素が前記記憶部に記憶されているか否かを判定し、
要素格納部は、前記要素判定部によって前記第１の要素が前記記憶部に記憶されていると判定された場合に、前記第１の要素に関連付けられた要素である第２の要素を前記記憶部から読み出し、当該第２の要素を前記新たな電子メールの第２の要素として格納する
ことを特徴とする電子メール作成方法。
【請求項４】
前記本文格納部は、前記宛先判定部によって宛先が前記記憶部に記憶されていると判定された場合に、自動引用を実行するか否かの入力を受け付け、自動引用を実行する旨の入力を受け付けたとき、前記本文を前記新たな電子メールの本文に格納する
ことを特徴とする請求項３に記載の電子メール作成方法。
【請求項５】
電子メールの送受信を行うメーラ装置を、
過去に送信した複数の電子メールの中から、所定数以上の電子メールにおいて一致する少なくとも２つの要素の組を抽出する抽出部、
前記抽出部が抽出した要素の組を記憶部に記録する記録部、
新たな電子メールの要素である第１の要素の入力を受け付ける要素入力部、
前記要素入力部が入力を受け付けた第１の要素が前記記憶部に記憶されているか否かを判定する要素判定部、
前記要素判定部によって前記第１の要素が前記記憶部に記憶されていると判定された場合に、前記第１の要素に関連付けられた要素である第２の要素を前記記憶部から読み出し、当該第２の要素を前記新たな電子メールの第２の要素として格納する要素格納部
として機能させるためのプログラム。
【請求項６】
前記本文格納部は、前記宛先判定部によって宛先が前記記憶部に記憶されていると判定された場合に、自動引用を実行するか否かの入力を受け付け、自動引用を実行する旨の入力を受け付けたとき、前記本文を前記新たな電子メールの本文に格納する
ことを特徴とする請求項５に記載のプログラム。
【発明の詳細な説明】
【技術分野】
【０００１】
本発明は、電子メールの送受信を行うメーラ装置、電子メール作成方法、及びプログラムに関する。
【背景技術】
【０００２】
近年の携帯電話端末において、電子メールの送受信を行うメーラ機能は欠かせないものとなっている。当該メーラ機能を用いて電子メールの送信を行う際、ある特定の宛先に決まった内容の電子メールを繰り返し送信することは少なくない。このような場合、通常、過去に送信した電子メールを引用して毎回新たに送信メールを作成する。
【０００３】
また、特許文献１には、予め宛先情報と本文の雛形とを関連付けておき、新たな電子メールの作成時に特定の宛先が入力された場合に、当該宛先情報に関連付けられた雛形を読み出すことで、電子メールの自動生成を行う方法が開示されている。
【先行技術文献】
【特許文献】
【０００４】
【特許文献１】特開２００３−２８３７４９号公報
【発明の概要】
【発明が解決しようとする課題】
【０００５】
しかしながら、携帯電話端末の使用者の年齢層は様々であり、携帯電話端末の高機能化に伴って、各個人が携帯電話端末の機能を活用しきれないことが多いという問題がある。そのため、使用者によっては、過去に送信した電子メールを引用することを知らずに、一から新たな電子メールを作成してしまい、手間がかかってしまうという問題がある。
また、特許文献１に記載の機能を搭載した携帯電話端末を用いたとしても、当該機能が携帯電話端末の様々な他の機能に埋もれてしまって、使用者が当該機能の存在に気づかなければ、やはり電子メールの作成に手間がかかってしまうという問題がある。
【課題を解決するための手段】
【０００６】
本発明は上記の課題を解決するためになされたものであり、過去に送信した複数の電子メールの中から、所定数以上の電子メールにおいて一致する少なくとも２つの要素の組を抽出する抽出部と、前記抽出部が抽出した要素の組を記憶部に記録する記録部と、新たな電子メールの要素である第１の要素の入力を受け付ける要素入力部と、前記要素入力部が入力を受け付けた第１の要素が前記記憶部に記憶されているか否かを判定する要素判定部と、前記要素判定部によって前記第１の要素が前記記憶部に記憶されていると判定された場合に、前記第１の要素に関連付けられた要素である第２の要素を前記記憶部から読み出し、当該第２の要素を前記新たな電子メールの第２の要素として格納する要素格納部とを備えることを特徴とするメーラ装置である。
【０００７】
また、本発明は、電子メールの送受信を行うメーラ装置を用いた電子メール作成方法であって、抽出部は、過去に送信した複数の電子メールの中から、所定数以上の電子メールにおいて一致する少なくとも２つの要素の組を抽出し、記録部は、前記抽出部が抽出した要素の組を記憶部に記録し、要素入力部は、新たな電子メールの要素である第１の要素の入力を受け付け、要素判定部は、前記要素入力部が入力を受け付けた第１の要素が前記記憶部に記憶されているか否かを判定し、要素格納部は、前記要素判定部によって前記第１の要素が前記記憶部に記憶されていると判定された場合に、前記第１の要素に関連付けられた要素である第２の要素を前記記憶部から読み出し、当該第２の要素を前記新たな電子メールの第２の要素として格納することを特徴とする。
【０００８】
また、本発明は、電子メールの送受信を行うメーラ装置を、過去に送信した複数の電子メールの中から、所定数以上の電子メールにおいて一致する少なくとも２つの要素の組を抽出する抽出部、前記抽出部が抽出した要素の組を記憶部に記録する記録部、新たな電子メールの要素である第１の要素の入力を受け付ける要素入力部、前記要素入力部が入力を受け付けた第１の要素が前記記憶部に記憶されているか否かを判定する要素判定部、前記要素判定部によって前記第１の要素が前記記憶部に記憶されていると判定された場合に、前記第１の要素に関連付けられた要素である第２の要素を前記記憶部から読み出し、当該第２の要素を前記新たな電子メールの第２の要素として格納する要素格納部として機能させるためのプログラムである。
【発明の効果】
【０００９】
本発明によれば、過去に送信した電子メールの中から複数の電子メールにおいて一致する要素の組を抽出する。そして、当該電子メールの要素同士を関連付けて、新たな電子メールの作成時に当該情報を用いて電子メールの本文の入力を行う。これにより、使用者は、電子メールの送信機能以外の機能を知らなかったとしても、電子メールの入力支援を受けることができる。
【図面の簡単な説明】
【００１０】
【図１】本発明の一実施形態による携帯電話端末の構成を示す概略ブロック図である。
【図２】各記憶部が記憶する情報の例を示す図である。
【図３】送信済みの電子メールからテンプレート情報を生成する動作を示すフローチャートである。
【図４】新たに電子メールを送信する動作を示すフローチャートである。
【図５】新たに電子メールを送信する際の画面例を示す図である。
【図６】電子メールの学習機能の管理を行う動作を示すフローチャートである。
【図７】電子メールの学習機能の管理を行う際の画面例である。
【発明を実施するための形態】
【００１１】
以下、図面を参照しながら本発明の実施形態について詳しく説明する。
図１は、本発明の一実施形態による携帯電話端末の構成を示す概略ブロック図である。
携帯電話端末（メーラ装置）は、送信済みメール記憶部１０１、抽出部１０２、学習回数記憶部１０３、記録部１０４、テンプレート記憶部１０５（記憶部）、新規メール記憶部１０６、宛先入力部１０７（要素入力部）、宛先判定部１０８（要素判定部）、引用可否選択部１０９、表題・本文格納部１１０（要素格納部）、表題・本文入力部１１１、送信部１１２、設定項目選択部１１３、学習回数設定部１１４、テンプレート消去部１１５を備える。
【００１２】
図２は、各記憶部が記憶する情報の例を示す図である。
送信済みメール記憶部１０１は、送信部１１２が過去に送信した電子メールを記憶する。具体的には、図２（Ａ）に示すように、電子メール毎に送信日時、宛先、表題、本文などを記憶する。
抽出部１０２は、送信済みメール記憶部１０１から、学習回数以上の電子メールにおいて一致する宛先、表題及び本文の組を抽出し、図２（Ｂ）に示すように、一致すると判定した回数を示す学習カウンタを関連付けて内部メモリに記憶させる。また、抽出部１０２は、学習回数記憶部１０３が記憶する学習回数を読み出し、内部メモリに記憶する学習カウンタが読み出した学習回数以上のものを抽出する。つまり、抽出部１０２は、送信済みメール記憶部１０１から、学習回数以上の電子メールにおいて一致する宛先、表題及び本文の組を抽出する。
学習回数記憶部１０３は、図２（Ｃ）に示すように、抽出部１０２が宛先、表題及び本文の組を抽出するための閾値である学習回数を記憶する。
記録部１０４は、抽出部１０２が抽出した宛先、表題及び本文の組のそれぞれをテンプレート記憶部１０５に記録する。
テンプレート記憶部１０５は、図３（Ｄ）に示すように、新たな電子メールを作成する際に用いるテンプレートとして、電子メールの宛先と表題と本文とを記憶する。
【００１３】
新規メール記憶部１０６は、新たに送信する電子メールを一時的に記憶する。
宛先入力部１０７は、新規メール記憶部１０６が記憶する電子メールへの宛先（第１の要素）の入力を受け付ける。
宛先判定部１０８は、新規メール記憶部１０６が記憶する電子メールの宛先を読み出し、当該電子メールの宛先に関連付けられた表題（第２の要素）及び本文（第２の要素）がテンプレート記憶部１０５に記憶されているか否かを判定する。
引用可否選択部１０９は、宛先判定部１０８によって、宛先に関連付けられた表題及び本文があると判定された場合に、使用者から表題及び本文の自動入力を行うか否かの選択を受け付ける。
【００１４】
表題・本文格納部１１０は、使用者が、表題及び本文の自動入力を行うことを選択した場合に、テンプレート記憶部１０５が記憶する表題及び本文を新規メール記憶部１０６が記憶する電子メールの表題及び本文に格納する。
表題・本文入力部１１１は、新規メール記憶部１０６が記憶する電子メールへの表題及び本文の入力を受け付ける。
送信部１１２は、新規メール記憶部１０６が記憶する電子メールを送信し、送信した電子メールを送信済みメール記憶部１０１に記録する。
【００１５】
設定項目選択部１１３は、携帯電話端末の画面に設定画面を表示させ、当該設定画面に表示された設定項目の選択を受け付ける。なお、設定画面には、学習回数の設定を行う設定項目と、テンプレートの消去を行う設定項目とが表示される。
学習回数設定部１１４は、使用者から学習回数の入力を受け付け、当該学習回数を学習回数記憶部１０３に記録する。
テンプレート消去部１１５は、テンプレート記憶部１０５が記憶する情報を消去する。
【００１６】
上記構成を備えることで、携帯電話端末は、以下に示す動作を実行する。すなわち、抽出部１０２は、過去に送信した複数の電子メールの中から、学習回数以上の電子メールにおいて一致する３つの要素（宛先、表題・本文）の組を抽出する。記録部１０４は、抽出部１０２が抽出した要素の組をテンプレート記憶部１０５に記録する。
【００１７】
宛先入力部１０７は、新たな電子メールの要素である宛先の入力を受け付ける。宛先判定部１０８は、宛先入力部１０７が入力を受け付けた宛先がテンプレート記憶部１０５に記憶されているか否かを判定する。表題・本文格納部１１０は、宛先判定部１０８によって宛先がテンプレート記憶部１０５に記憶されていると判定された場合に、宛先に関連付けられた要素である表題及び本文をテンプレート記憶部１０５から読み出し、当該表題及び本文を新たな電子メールの表題及び本文として格納する。
これにより、使用者は、携帯電話端末の機能のうち、電子メールの送信機能以外の機能を知らなかったとしても、電子メールの入力支援を受けることができる。
【００１８】
次に、本実施形態による携帯電話端末の動作を説明する。まず、送信済みの電子メールからテンプレート情報を生成する動作について説明する。
図３は、送信済みの電子メールからテンプレート情報を生成する動作を示すフローチャートである。
送信済みの電子メールからテンプレート情報を生成する処理は、使用者が携帯電話端末のメーラ機能を起動させる毎に実行する。携帯電話端末がメーラ機能を起動させると、抽出部１０２は、送信済みメール記憶部１０１から送信済みの電子メールを１件読み出す（ステップＳ１）。
【００１９】
次に、抽出部１０２は、読み出した電子メールの宛先が以前に読み出したことがない新しい宛先であるか否かを判定する（ステップＳ２）。具体的には、抽出部１０２は、内部メモリに記憶する宛先、表題、及び本文の組の中に、読み出した電子メールの宛先と同じ宛先を有するものがあるか否かを判定する。なお、宛先、表題、及び本文の組は、後述するステップ６において内部メモリに記憶され、初期状態では内部メモリには宛先、表題、及び本文の組が記憶されていない状態となっている。
【００２０】
抽出部１０２は、ステップＳ２で読み出した電子メールの宛先が、以前に読み出したことがある宛先であると判定した場合（ステップＳ２：ＮＯ）、以下の処理を行う。すなわち、抽出部１０２は、ステップＳ１で読み出した電子メールの表題が、以前にステップＳ２で読み出した宛先に関連付けられていたことがない新しい表題であるか否かを判定する（ステップＳ３）。具体的には、抽出部１０２は、内部メモリに記憶する宛先、表題、及び本文の組のうち、ステップＳ２で読み出した宛先に関連付けられたものの中に、読み出した電子メールの表題と同じ表題を有するものがあるか否かを判定する。
【００２１】
抽出部１０２は、ステップＳ３で読み出した電子メールの表題が、以前に読み出したことがある表題であると判定した場合（ステップＳ３：ＮＯ）、以下の処理を行う。すなわち、抽出部１０２は、ステップＳ１で読み出した電子メールの本文が、以前にステップＳ２で読み出した宛先及びステップＳ３で読み出した表題に関連付けられていたことがない新しい本文であるか否かを判定する（ステップＳ４）。具体的には、抽出部１０２は、内部メモリに記憶する宛先、表題、及び本文の組のうち、ステップＳ２で読み出した宛先及びステップＳ３で読み出した表題の組に関連付けられたものの中に、読み出した電子メールの本文と同じ本文を有するものがあるか否かを判定する。
【００２２】
抽出部１０２は、ステップＳ３で読み出した電子メールの本文が、以前に読み出したことがある本文であると判定した場合（ステップＳ４：ＮＯ）、以下の処理を行う。すなわち、抽出部１０２は、ステップＳ１で読み出した電子メールの宛先、表題、及び本文の組に関連付けて内部メモリに記憶する学習カウンタに１を加算する（ステップＳ５）。
【００２３】
他方、抽出部１０２は、読み出した電子メールの宛先が新しい宛先であると判定した場合（ステップＳ２：ＹＥＳ）、読み出した電子メールの表題が新しい表題であると判定した場合（ステップＳ３：ＹＥＳ）、読み出した電子メールの本文が新しい本文であると判定した場合（ステップＳ４：ＹＥＳ）、以下の処理を行う。すなわち、抽出部１０２は、ステップＳ１で読み出した電子メールの宛先、表題、及び本文を内部メモリに記録する（ステップＳ６）。このとき、抽出部１０２は、当該宛先、表題、及び本文の組に、「０」を示す学習カウンタを設定する（ステップＳ７）。つまり、内部メモリには、読み出した電子メールの宛先、表題、及び本文と、「０」を示す学習カウンタとが関連付けて記憶されることとなる。
【００２４】
抽出部１０２は、ステップＳ５で内部メモリに記憶する学習カウンタに１を加算すると、当該加算した後の学習カウンタの値が、学習回数記憶部１０３が記憶する学習回数と等しいか否かを判定する（ステップＳ８）。抽出部１０２は、学習カウンタの値が学習回数と等しいと判定した場合（ステップＳ８：ＹＥＳ）、当該学習カウンタに関連付けられた宛先、表題、及び本文の組を記録部１０４に出力する。そして、記録部１０４は、抽出部１０２から入力した宛先、表題、及び本文の組をテンプレート記憶部１０５に記録する（ステップＳ９）。
【００２５】
ステップＳ７で「０」を示す学習カウンタを設定した場合、ステップＳ８で学習カウンタの値が学習回数と異なると判定した場合（ステップＳ８：ＮＯ）、またはステップＳ９で宛先、表題、及び本文の組をテンプレート記憶部１０５に記録した場合、抽出部１０２は、送信済みメール記憶部１０１から全ての送信済みの電子メールを読み出し終えたか否かを判定する（ステップＳ１０）。
抽出部１０２は、読み出していない電子メールが存在すると判定した場合（ステップＳ１０：ＮＯ）、ステップＳ１に戻り、電子メールの読み出しを行う。他方、抽出部１０２が全ての電子メールを読み出したと判定した場合（ステップＳ１０：ＹＥＳ）、送信済みの電子メールからテンプレート情報を生成する動作を終了する。
【００２６】
次に、新たに電子メールを送信する動作について説明する。
図４は、新たに電子メールを送信する動作を示すフローチャートである。
図５は、新たに電子メールを送信する際の画面例を示す図である。
使用者の操作により、携帯電話端末が電子メールの作成機能を実行すると、宛先入力部１０７は、新規メール記憶部１０６が記憶する電子メールに格納する宛先の入力を受け付ける（ステップＳ１１）。使用者が携帯電話端末のテンキーを操作することで宛先を入力すると、宛先入力部１０７は、当該宛先を新規メール記憶部１０６が記憶する電子メールの宛先に格納する。なお、宛先の入力画面は、図５（Ａ）に示す通りである。
【００２７】
次に、宛先判定部１０８は、テンプレート記憶部１０５が、新規メール記憶部１０６が記憶する電子メールの宛先と同じ宛先を記憶しているか否かを判定する（ステップＳ１２）。宛先判定部１０８が、テンプレート記憶部１０５が同じ宛先を記憶していると判定した場合（ステップＳ１２：ＹＥＳ）、引用可否選択部１０９は、図５（Ｂ）に示すように、携帯電話端末の画面に表題及び本文の自動引用を許可するか否かを示すダイアログを表示させる（ステップＳ１３）。次に、引用可否選択部１０９は、使用者から自動引用を利用するか否かの選択の入力を受け付ける（ステップＳ１４）。使用者は、携帯電話端末の方向キーと決定キーを操作することで、選択を入力する。
【００２８】
引用可否選択部１０９が、使用者から自動引用を利用することを示す選択を受け付けた場合（ステップＳ１４：ＹＥＳ）、表題・本文格納部１１０は、テンプレート記憶部１０５から、新規メール記憶部１０６が記憶する電子メールの宛先に関連付けられた表題及び本文を読み出し、当該表題及び本文を新規メール記憶部１０６が記憶する電子メールの表題及び本文に格納する（ステップＳ１５）。なお、表題及び本文を電子メールの表題及び本文に格納したときの画面は、図５（Ｃ）に示す通りである。
【００２９】
他方、ステップＳ１２で宛先判定部１０８によって、テンプレート記憶部１０５が同じ宛先を記憶していないと判定された場合（ステップＳ１２：ＮＯ）、またはステップＳ１４で引用可否選択部１０９が、使用者から自動引用を利用しないことを示す選択を受け付けた場合（ステップＳ１４：ＮＯ）、表題・本文入力部１１１は、新規メール記憶部１０６が記憶する電子メールに格納する表題及び本文の入力を受け付ける（ステップＳ１６）。使用者が携帯電話端末のテンキーを操作することで表題及び本文を入力すると、表題・本文入力部１１１は、当該表題及び本文を新規メール記憶部１０６が記憶する電子メールの表題及び本文に格納する。
【００３０】
ステップＳ１５またはステップＳ１６で表題及び本文が、新規メール記憶部１０６が記憶する電子メールに格納されると、送信部１１２は、新規メール記憶部１０６が記憶する電子メールを送信する（ステップＳ１７）。そして、送信部１１２は当該電子メールを送信済みメール記憶部１０１に記録する（ステップＳ１８）。
【００３１】
次に、電子メールの学習機能の管理を行う動作を説明する。
図６は、電子メールの学習機能の管理を行う動作を示すフローチャートである。
図７は、電子メールの学習機能の管理を行う際の画面例である。
使用者の操作により、携帯電話端末が学習機能の管理を行う機能を実行すると、設定項目選択部１１３は、図７（Ａ）に示すように、携帯電話端末の画面に設定画面を表示させる（ステップＳ２１）。当該設定画面には、学習回数の設定を行う設定項目と、学習内容の消去を行う設定項目と、学習機能の管理を終了する設定項目とが表示される。設定項目選択部１１３は、使用者から設定項目の選択の入力を受け付ける。使用者は、携帯電話端末の方向キーと決定キーを操作することで、選択を入力する。
【００３２】
次に、設定項目選択部１１３は、使用者の操作によって学習回数の設定を行う設定項目が選択されたか否かを判定する（ステップＳ２２）。設定項目選択部１１３が、学習回数の設定を行う設定項目が選択されたと判定した場合（ステップＳ２２：ＹＥＳ）、学習回数設定部１１４は、図７（Ｂ）に示すように、携帯電話端末の画面に学習回数の設定画面を表示させ（ステップＳ２３）、学習回数の入力を受け付ける。使用者は、携帯電話端末のテンキーを操作することで、学習回数を入力する。利用者が学習回数を入力すると、学習回数設定部１１４は、入力された学習回数を学習回数記憶部１０３に記録し（ステップＳ２４）、ステップＳ１に処理を戻す。
【００３３】
他方、設定項目選択部１１３が、学習回数の設定を行う設定項目が選択されていないと判定した場合（ステップＳ２２：ＮＯ）、設定項目選択部１１３は、学習内容の消去を行う設定項目が選択されたか否かを判定する（ステップＳ２５）。設定項目選択部１１３が、学習内容の消去を行う設定項目が選択されたと判定した場合（ステップＳ２５：ＹＥＳ）、テンプレート消去部１１５は、図７（Ｃ）に示すように、携帯電話端末の画面に学習内容の消去を行うか否かを確認する画面を表示させる（ステップＳ２６）。次に、テンプレート消去部１１５は、学習内容の消去を行うか否かの入力を受け付ける（ステップＳ２７）。使用者は、携帯電話端末の方向キーと決定キーを操作することで入力を行う。
【００３４】
テンプレート消去部１１５は、学習内容の消去を行う旨の入力を受け付けた場合（ステップＳ２７：ＹＥＳ）、テンプレート記憶部１０５１０５が記憶する情報を消去し（ステップＳ２８）、ステップＳ１に処理を戻す。他方、テンプレート消去部１１５は、学習内容の消去を行わない旨の入力を受け付けた場合（ステップＳ２７：ＮＯ）、テンプレート記憶部１０５１０５が記憶する情報を消去せずに、ステップＳ１に処理を戻す。
【００３５】
ステップＳ２５で設定項目選択部１１３が、学習内容の消去を行う設定項目が選択されていないと判定した場合（ステップＳ２５：ＮＯ）、設定項目選択部１１３は、学習機能の管理を終了する設定項目が選択されたか否かを判定する（ステップＳ２９）。設定項目選択部１１３が、学習機能の管理を終了する設定項目が選択されていないと判定した場合（ステップＳ２９：ＮＯ）、ステップＳ１に処理を戻す。他方、設定項目選択部１１３が、学習機能の管理を終了する設定項目が選択されたと判定した場合（ステップＳ２９：ＹＥＳ）、電子メールの学習機能の管理を行う動作を終了する。
【００３６】
このように、本実施形態によれば、過去に送信した電子メールの中から複数の電子メールにおいて一致する要素（宛先、表題、本文）の組を抽出する。そして、当該電子メールの要素同士を関連付けて、新たな電子メールの作成時に当該情報を用いて電子メールの本文の入力を行う。これにより、使用者は、電子メールの送信機能以外の機能を知らなかったとしても、電子メールの入力支援を受けることができる。
【００３７】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、電子メールの宛先を入力したときに、表題と本文とを自動入力する例を説明したが、これに限られず、例えば、宛先を入力したときに、表題のみを自動入力するようにしても良いし、表題を入力したときに本文を自動入力するようにしても良い。すなわち、本発明における第１の要素は、宛先、表題、本文の何れであっても良く、本発明における第２の要素は、宛先、表題、本文、宛先及び表題、宛先及び本文、表題及び本文の何れであってもよい。
【００３８】
上述の携帯電話装置は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３９】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４０】
１０１…送信済みメール記憶部  １０２…抽出部  １０３…学習回数記憶部  １０４…記録部  １０５…テンプレート記憶部  １０６…新規メール記憶部  １０７…宛先入力部  １０８…宛先判定部  １０９…引用可否選択部  １１０…表題・本文格納部  １１１…表題・本文入力部  １１２…送信部  １１３…設定項目選択部  １１４…学習回数設定部  １１５…テンプレート消去部
【図１】
2012103944.tif 000003
【図２】
2012103944.tif 000004
【図３】
2012103944.tif 000005
【図４】
2012103944.tif 000006
【図５】
2012103944.tif 000007
【図６】
2012103944.tif 000008
【図７】
2012103944.tif 000009